(57)【要約】【課題】  記憶媒体に記憶済み画像の印刷の簡便化を図る。【解決手段】  メモリカード等の記憶媒体からデータを読み込み（ステップＳ３１０）、そのデータを画像データの出力履歴と対比させ、メモリカード等に記憶済み画像が未だ画像印刷されていない未印刷画像であるか否かを判定する（ステップＳ３３０）。ステップＳ３１０で読み込んだ複数の画像のうち一枚でも未印刷画像があれば、その未印刷画像とされた画像についての画像データをプリンタ１３０に出力する（ステップＳ３４０）。これにより、ステップＳ３１０で読み込まれた画像のうち、未印刷画像は本印刷処理により印刷されることになる。【選択図】  図４
2005244478.tif 000002
【特許請求の範囲】
【請求項１】
画像を構成する画像データを画像印刷のために出力する画像出力装置であって、
印刷され得る画像を構成する画像データと前記画像に固有の固有データとを前記画像ごとに対応付けたデータ群を複数の前記画像ごとに備えた画像蓄積部から、前記複数の画像についての前記データ群を画像ごとに取得するデータ取得部と、
画像データに基づいて画像を印刷する印刷出力部に、前記データ群の前記画像データを出力するデータ出力部と、
前記データ出力部による前記画像データの出力履歴を、該画像データと対の前記固有データに対応させて記憶する履歴対応部と、
前記データ取得部が取得した前記データ群に含まれる前記固有データを前記履歴対応部の記憶した出力履歴に対応させて、前記取得した前記データ群の前記画像の印刷の要否を判定する印刷判定部と、
該印刷判定部により印刷必要と判定した前記データ群の画像について、該画像の前記データ出力部による画像データ出力を実行する出力実行部とを備える
画像出力装置。
【請求項２】
請求項１記載の画像出力装置であって、
前記固有データは、前記画像を特定する画像特定データと、前記画像データが作成された日時を表す日時データとを含む
画像出力装置。
【請求項３】
請求項２記載の画像出力装置であって、
前記履歴対応部は、画像データ出力が実行された日時を前記出力履歴の一つとして記憶し、
前記印刷判定部は、前記画像データ出力の実行日時より遅い前記固有データの前記日時データを含む前記固有データ群の画像を印刷必要な画像と判定する
画像出力装置。
【請求項４】
請求項１ないし請求項３いずれか記載の画像出力装置であって、
前記履歴対応部は、
前記出力履歴を表す出力履歴データを、前記画像蓄積部が有する前記データ群に書き込むことで、前記出力履歴の記憶を行う
画像出力装置。
【請求項５】
請求項１ないし請求項４いずれか記載の画像生成装置であって、
画像データの提供を受けて該画像データで構成される画像を表示する表示部を備え、
前記出力実行部は、
前記画像データの出力実行の対象となった出力対象画像を、該画像を構成する画像データを前記表示部に出力して前記表示部に前記出力対象画像を表示させる表示実行部と、
前記データ出力部による画像データ出力を、前記表示部が表示した前記出力対象画像のうちユーザからのデータ出力指示を受けた画像についての画像データ出力に制限する出力制限部とを有する
画像出力装置。
【請求項６】
請求項１ないし請求項５いずれか記載の画像生成装置であって、
前記印刷出力部を有する
画像出力装置。
【請求項７】
画像を構成する画像データを印刷出力部に出力して画像を印刷出力する方法であって、
（ａ）印刷され得る画像を構成する画像データと前記画像に固有の固有データとを前記画像ごとに対応付けたデータ群を複数の前記画像ごとに備えた画像蓄積部から、前記複数の画像についての前記データ群を画像ごとに取得する工程と、
（ｂ）前記印刷出力部への前記画像データの出力履歴を、画像データと対の固有データに対応させて記憶する工程と、
（ｃ）前記工程（ａ）にて取得した前記データ群に含まれる前記固有データを前記出力履歴に対応させて、前記取得した前記データ群の前記画像の印刷の要否を判定する工程と、
（ｄ）前記工程（ｃ）により印刷必要と判定した前記データ群の画像について、該画像の前記画像データを前記印刷出力部に出力する工程とを備える
画像の印刷出力方法。
【請求項８】
画像を構成する画像データを印刷出力部に出力する処理をコンピュータに実行させるためのコンピュータプログラムであって、
（ａ）印刷され得る画像を構成する画像データと前記画像に固有の固有データとを前記画像ごとに対応付けたデータ群を複数の前記画像ごとに備えた画像蓄積部から、前記複数の画像についての前記データ群を画像ごとに取得する機能と、
（ｂ）前記印刷出力部への前記画像データの出力履歴を、画像データと対の固有データに対応させて記憶する機能と、
（ｃ）前記取得した前記データ群に含まれる前記固有データを前記出力履歴に対応させて、前記取得した前記データ群の前記画像の印刷の要否を判定する機能と、
（ｄ）印刷必要と判定した前記データ群の画像について、該画像の前記画像データを前記印刷出力部に出力する機能とを備える
を、前記コンピュータに実現させるコンピュータプログラム。
【請求項９】
請求項８に記載したコンピュータプログラムを記録したコンピュータ読み取り可能な記録媒体。
【発明の詳細な説明】
【技術分野】
【０００１】
本発明は、画像を構成する画像データを画像印刷のために出力する技術に関する。
【背景技術】
【０００２】
近年では、デジタルスチルカメラ等の普及により、画像をデジタルデータで簡便に入手できる。こうした入手されたデータは、画像を構成する画像データ（例えば、各画素についてのＲＧＢデータ等）の他、そのデータ生成時（例えば、データ作成時や編集時）のデータや、データファイル名のデータ、音声データ等と共に、メモリカードやハードディスク等の適宜な記憶媒体に記憶される。
【０００３】
記憶媒体に画像を記憶してしまうと、その後に画像の印刷を所望する際には、記憶媒体に記憶済みの画像から印刷すべき画像を探し出す必要がある。よって、こうした画像検索を簡便化する技術が種々提案されている（例えば、特許文献１）。
【０００４】
【特許文献１】特開２００２−２７３９５２号公報
【発明の開示】
【発明が解決しようとする課題】
【０００５】
上記した技術によれば、画像検索は容易となるものの、次のような問題が指摘されるに到った。
ユーザは、印刷媒体での画像検索に際し、その画像の印刷を所望する場合が多い。しかし、データを記憶媒体に残しておけば何時でも印刷できるという安心感があるため、或いは、プリンタに印刷させるに到る操作が煩わしい等の理由から、画像検索とその表示でとどめ、画像印刷に到らないことが多々ある。このため、画像を必要なときに印刷媒体上での画像として見たり用いたりができないことがあった。
【０００６】
本発明は、上記問題点を解決するためになされ、種々の記憶媒体に記憶済み画像の印刷の簡便化を図ることを目的とする。
【課題を解決するための手段】
【０００７】
かかる課題の少なくとも一部を解決するため、本発明の画像生成装置では、データ取得部が画像蓄積部から複数の画像についてのデータ群を取得すると、次のようにして画像データを出力し、画像印刷を図る。
【０００８】
まず、データ群の画像データを印刷出力部に出力するに際し、画像に固有の固有データと対応させて記憶した画像データの出力履歴と、データ取得部が取得したデータ群に含まれる固有データとの対応を図り、画像の印刷の要否を判定する。そして、印刷必要と判定したデータ群の画像については、その画像の画像データの印刷出力部への出力を実行して、当該画像を印刷する。
【０００９】
こうすれば、画像蓄積部に記憶されていた画像のうち、今までに印刷のための画像データ出力がされていないもの、即ち未だ印刷されていない画像を速やかに、且つ簡便に印刷できる。
【００１０】
このように未印刷画像の印刷を図る上で、画像に固有の固有データとして、画像を特定する画像特定データと、その画像データが作成された日時を表す日時データとを含むようにすることもできる。この画像特定データ（例えば、ファイル名データ等）や日時データは、画像データと共に通常記憶されるデータである。よって、こうした汎用的なデータを用いて印刷要否を判定しその結果により未印刷画像の印刷を行うので、本発明による画像印刷の汎用性を高めることができる。
【００１１】
また、画像データ出力が実行された日時を出力履歴の一つとして記憶し、当該画像データ出力日時より遅い日時データを含む固有データ群の画像については、未印刷画像としてその画像データを印刷のために出力するようにすることもできる。こうすれば、より簡便に未印刷画像を印刷できる。
【００１２】
これらの場合、出力履歴を表す出力履歴データを画像蓄積部が有するデータ群に書き込むようにすれば、データ取得部にて複数の画像ごとのデータ群を取得するだけで、その画像が未印刷画像であるか否かを容易に判定できるので、簡便である。
【００１３】
上記の本発明の画像生成装置において、更に、画像データの提供を受けて該画像データで構成される画像を表示する表示部を備えるようにし、この表示部で、画像データの出力実行の対象となった出力対象画像、即ち未印刷画像を表示させ、ユーザにこれら未印刷画像のうちから印刷を所望する画像を選ぶようにすることもできる。こうすれば、ユーザの意向を反映させつつ、未印刷画像の印刷が簡便となる。また、印刷出力部自体を有するようにすることもできる。
【００１４】
上記した本発明の印刷画像のためのデータ出力は、種々の形態で実現することが可能であり、例えば、画像出力方法・印刷装置や印刷方法はもとより、画像出力装置や方法の機能をコンピュータに実現させるためのコンピュータプログラム、そのプログラムを記録した記録媒体等の形態で実現することができる。
【発明を実施するための最良の形態】
【００１５】
以下、本発明の実施の形態について、実施例に基づき以下の順序で説明する。
Ａ．第１実施例：
Ａ１．画像処理装置の構成：
Ａ２．画像処理：
Ｂ．第２実施例の機器構成：
Ｃ．第３実施例の機器構成：
Ｄ．第４実施例の機器構成：
Ｅ．変形例：
【００１６】
Ａ．第１実施例：
Ａ１．画像処理装置の構成：
図１は本発明の第１実施例としての画像処理システム１００を示すブロック図、図２はこの画像処理システム１００をパーソナルコンピュータ３０を中心に構成したシステムの説明図である。図示するように、この画像処理システム１００は、画像データベース１１０と、データ取得部１０５と、制御部１２０と、印刷出力部１３０の他、表示部１４０、操作部１５０、記憶部１６０を備える。
【００１７】
画像データベース１１０は、動画像や静止画像などの画像データを、メモリカード、ハードディスク、ＣＤ−ＲＯＭ等の種々の媒体を介して供給する。データ取得部１０５は、画像データベース１１０から画像を構成する画像データ等のデータを取得し、これを制御部１２０に受け渡す。制御部１２０は、取得した画像に対する種々の処理を司るため、データ出力部１２２、履歴対応部１２４、印刷判定部１２６、出力実行部１２８を備える。データ出力部１２２は、印刷出力部１３０に、印刷すべき画像の画像データを出力する。履歴対応部１２４は、データ出力部１２２による画像データの出力履歴を後述の種々のデータに対応させて記憶する。印刷判定部１２６は、データ取得部１０５が取得した後述の種々のデータを履歴対応部１２４の記憶した出力履歴に対応させて画像の印刷要否を判定する。出力実行部１２８は、印刷必要と判定した画像の画像データ出力を実行する。
【００１８】
印刷出力部１３０は、制御部１２０から受け取った画像データに基づいて画像を印刷する。表示部１４０は、データ取得部１０５から取得した画像データに基づいて画像を表示し、操作部１５０は、画像印刷時の印刷書式の設定等の際に操作される。記憶部１６０は制御部１２０が行ったデータ処理の結果や制御部１２０が司るプログラム等を記憶する。
【００１９】
パーソナルコンピュータ３０（図２参照）は、図示しないＣＰＵ、ＲＡＭ、ＲＯＭ等の論理演算デバイスの他、ハードディスク、マウス、キーボード等を備える。そして、パーソナルコンピュータ３０は、後述のプログラムの実行に伴って、これらデバイスにて、上記の制御部１２０、データ取得部１０５、表示部１４０、操作部１５０および記憶部１６０の機能を担うよう構成されている。つまり、パーソナルコンピュータ３０は、画像データベース１１０の媒体から種々のデータを直接受け取り、画像データを印刷のために印刷出力部（プリンタ）１３０に出力する。
【００２０】
Ａ２．画像処理：
図３は未印刷画像の自動印刷処理に先立ち行う印刷前処理のフローチャート、図４は未印刷画像の自動印刷処理のフローチャートである。図３に示す印刷前処理では、パーソナルコンピュータ３０は、自動印刷のためのプリンタ１３０の諸事項を設定し、これを記憶する（ステップＳ２００）。例えば、印刷サイズやその印刷画質（例えば、写真画質や画像自動補正処理等）、印刷枚数等のユーザによる設定を待ち、その設定があれば設定事項を記憶する。或いは、これら諸事項を予めデフォルトとして記憶するようにすることもできる。この場合は、デフォルトの設定項目を読み出せば足りる。
【００２１】
この印刷前処理は、画像処理システム１００の一番最初の電源ＯＮ時に一度だけ実行すれば足りる。勿論、後述の未印刷画像の自動処理印刷に先立った時期であれば、随時実行するようにすることもできる。この場合は、パーソナルコンピュータ３０は、表示部１４０にこの印刷前処理の実行を促すアイコン等を表示し、アイコン操作があったときに、印刷前処理を実行すればよい。こうすれば、印刷諸事項をユーザが所望するよう随時変更できる。
【００２２】
図４に示す未印刷画像の自動印刷処理は、画像データベース１１０からパーソナルコンピュータ３０に画像データの入力をトリガとして実行される。例えば、パーソナルコンピュータ３０は、カードスロットルへのメモリカード装着や、ＣＤ−ＲＯＭ装着があると、これを契機に、自動印刷処理を実行する。
【００２３】
まず、パーソナルコンピュータ３０は、以下に説明する自動印刷処理にて印刷する際のプリンタ設定事項をＲＡＭやＲＯＭ或いはハードディスクから読み出し、これをプリンタ１３０に出力する（ステップＳ３００）。このプリンタ設定事項は既述した印刷前処理で設定されたものである。こうした設定事項出力により、プリンタ１３０は、それ以前の他の印刷処理においてユーザにより設定項目が変更されていても、ステップＳ３００により本自動印刷処理に適した設定となる。
【００２４】
パーソナルコンピュータ３０は、プリンタ設定出力に続き、メモリカード等からのデータの読み込みを行う（ステップＳ３１０）。通常、メモリカード等には複数の画像が、これを構成する画像データ等のデータで記憶されているので、パーソナルコンピュータ３０は、その総ての画像についてのデータを読み込む。こうしたデータには、上記の画像データの他、画像データを特定するファイル名等の画像特定データと、画像の撮影日時や編集日時等の日時データ（即ち、画像データ作成の成日時データ）といった画像固有のデータが含まれており、パーソナルコンピュータ３０は、こうしたデータについても読み込む。
【００２５】
パーソナルコンピュータ３０は、引き続き、画像印刷のためのデータ出力の履歴を記憶部１６０から読み込む（ステップＳ３２０）。この出力履歴は、プリンタ１３０への画像データ出力がなされた画像については、印刷済みである旨を示し、画像データの出力がない画像については、未印刷である旨を表すものであり、パーソナルコンピュータ３０は、この出力履歴を作成して、記憶部１６０、具体的は読み書き可能なＲＯＭ等に更新記憶させておく。例えば、ある画像の画像データを当該画像印刷のためにプリンタ１３０に出力した履歴（出力履歴）を、このある画像についてその画像データと対となっている上記したファイル名等の画像特定データや日時データを対応付けて構築されている。パーソナルコンピュータ３０は、こうした出力履歴を本ルーチンの後述のステップＳ３５０にて更新・記憶する。
【００２６】
次に、パーソナルコンピュータ３０は、ステップＳ３１０で読み込んだ複数の画像ごとの画像特定データや日時データを、ステップＳ３２０で読み込んだ出力履歴に対応させ、この画像特定データや日時データに対応する画像が未だ画像印刷されていない画像（未印刷画像）であるか否かを判定する（ステップＳ３３０）。このステップＳ３３０では、ステップＳ３１０で読み込んだ複数の画像の総てが画像特定データ・日時データと出力履歴との対比から印刷済みとされると、画像総てが印刷済みであるとして否定判定され、本ルーチンを一旦終了する。
【００２７】
その一方、ステップＳ３１０で読み込んだ複数の画像のうち一枚でも未印刷画像があれば、ステップＳ３３０では肯定判定され、パーソナルコンピュータ３０は、その未印刷画像とされた画像についての画像データをプリンタ１３０に出力する（ステップＳ３４０）。これにより、ステップＳ３１０で読み込まれた画像のうち、未印刷画像は本印刷処理により印刷されることになる。そして、その印刷は、印刷前処理で設定された印刷サイズ、画質等で行われる。
【００２８】
パーソナルコンピュータ３０は、画像データの出力を行うと、これに基づき出力履歴を更新して記憶し（ステップＳ３５０）、本ルーチンを終了する。図５は出力履歴の一例を示す説明図である。図示するように、パーソナルコンピュータ３０は、ステップＳ３３０で印刷対象とした未印刷画像の画像データを特定するファイル名等の画像特定データや画像データ作成の日時データといった画像固有のデータを、ステップＳ３４０でのデータ出力日時データと対応付け、これを更新記憶する。この出力履歴は、ステップＳ３２０で読み込まれ、未印刷画像の有無判定に用いられる。
【００２９】
以上説明した本実施例によれば、画像を記憶したメモリカード等の記憶媒体をパーソナルコンピュータ３０に装着すれば、その記憶媒体に記憶済みで未印刷の画像については、当該画像を速やかに、且つ簡単に印刷でき、好ましい。しかも、記憶媒体の画像からの未印刷画像選択に用いる出力履歴に、画像データを特定するファイル名等の画像特定データや画像データ作成の日時データといった画像固有のデータを対応付けるようにした。この画像特定データや日時データは、画像撮影・編集の際に画像データと共に通常記憶されるデータであるので、本実施例では、こうした汎用的なデータを用いて印刷要否を判定し（ステップＳ３３０）、その結果により未印刷画像の印刷を行う。よって、メモリカード等の印刷媒体に記憶された画像の未印刷画像印刷の汎用性を高めることができる。
【００３０】
Ｂ．第２実施例の機器構成：
第２実施例は、画像処理システム１００をデジタルカメラ４０で構成した点に特徴があり、図６はデジタルカメラ４０を中心に構成した画像処理システム１００を示す説明図である。図示するように、この第２実施例では、デジタルカメラ４０が、内蔵するＣＰＵ等にて上記の制御部１２０、データ取得部１０５、表示部１４０、操作部１５０および記憶部１６０の機能を担うよう構成される。
【００３１】
そして、デジタルカメラ４０は、プリンタ１３０とのケーブル接続をトリガとして、或いは、プリンタ１３０にケーブル接続された上でのメモリカード装着をトリガして図４の処理を実行する。これにより、デジタルカメラ４０は、メモリカードから画像データおよび日付データ等を受け取り、メモリカードにおける未印刷画像の画像データをプリンタ１３０に出力して印刷を図る。また、デジタルカメラ４０自体で撮像され装着済みメモリカードや内蔵メモリに記憶された画像についても、未印刷画像であれば、その画像データをプリンタ１３０に出力して印刷を図る。この第２実施例では、画像撮像するデジタルカメラ４０から速やかに印刷できる利点がある。なお、この実施例では、図３で示したプリンタ設定は、プリンタ１３０の側で実行され、プリンタ１３０に記憶される。よって、デジタルカメラ４０にて表示部１４０での画像表示や操作部１５０でのユーザ操作を省略することができる。
【００３２】
Ｃ．第３実施例の機器構成：
第３実施例は、デジタルカメラ４０Ａをメモリカード等の記憶媒体として用いたものであり、図７はデジタルカメラ４０Ａが充電等のために装着されるカメラ装着台５０を中心に構成した画像処理システム１００を示す説明図である。図示するように、この第３実施例では、カメラ装着台５０が、パーソナルコンピュータ３０と同様にＣＰＵ等を備え、上記の制御部１２０、データ取得部１０５、記憶部１６０の機能を担うよう構成される。この実施例は、プリンタ１３０とケーブル接続されたカメラ装着台５０にデジタルカメラ４０Ａが装着されると、或いは、デジタルカメラ４０Ａを装着済みのカメラ装着台５０がプリンタ１３０にケーブル接続されると、これをトリガとして図４の自動印刷処理が実行される。よって、表示部１４０や操作部１５０については、特段必要としない。
【００３３】
カメラ装着台５０は、図４の処理を実行することにより、デジタルカメラ４０Ａから画像データおよび日付データ等を受け取り、デジタルカメラ４０Ａにおける未印刷画像の画像データをプリンタ１３０に出力して印刷を図る。よって、この実施例によっても、デジタルカメラ４０Ａから速やかに印刷できる利点がある。なお、この実施例にあっても、図３で示したプリンタ設定は、プリンタ１３０の側で実行され、プリンタ１３０に記憶される。
【００３４】
Ｄ．第４実施例の機器構成：
第４実施例は、画像処理システム１００をプリンタ１３０で構成した点に特徴があり、図８はプリンタ１３０を中心に構成した画像処理システム１００を示す説明図である。図示するように、この第４実施例では、プリンタ１３０が、内蔵するＣＰＵ等にて上記の制御部１２０、データ取得部１０５、表示部１４０、操作部１５０および記憶部１６０の機能を担うよう構成される。
【００３５】
そして、プリンタ１３０、デジタルカメラ４０Ａやハードディスク４５とのケーブル接続をトリガとして、或いは、カードスロットルへのメモリカード装着をトリガして図４の処理を実行する。これにより、印刷出力部１３０は、メモリカードやデジタルカメラ４０Ａから画像データおよび日付データ等を受け取り、メモリカードやデジタルカメラ４０Ａにおける未印刷画像の画像データをプリンタ自身の印刷ヘッド・その駆動部に出力して印刷を図る。この第４実施例では、メモリカードや画像撮像するデジタルカメラ４０の装着・接続を経て、未印刷画像を速やかに印刷できる利点がある。なお、この実施例では、図３で示したプリンタ設定は、プリンタ１３０の側で実行され、プリンタ１３０に記憶され、その設定には、プリンタが有する表示部１４０や操作部１５０が用いられる。
【００３６】
Ｅ．変形例：
以上いくつかの実施例について説明したが、本発明はこれら実施例や実施形態に限られるものではなく、その要旨を逸脱しない範囲において、種々の態様で実施可能である。例えば、次のような変形も可能である。
【００３７】
第１の変形例では、パーソナルコンピュータ３０は、プリンタ１３０への図４による自動印刷処理に基づいた画像データの出力が実行された日時（画像データ出力日時データ）を出力履歴の一つとして記憶する。つまり、図５に示した画像データ出力日時のデータを記憶する。そして、パーソナルコンピュータ３０は、当該画像データ出力日時より遅い日時データを含む画像については、未印刷画像としてその画像データを印刷のために出力するようにすることもできる。図５を用いて説明すると、前回の図４による自動印刷処理のもっとも遅い日時が０４年２月１２日１１時２４分１０秒であれば、今回に自動印刷処理では、この日時より遅い日時データを含む画像については、未印刷画像としてその画像データを印刷のために出力して、画像印刷を図る。こうすれば、より簡便に未印刷画像を印刷できる。
【００３８】
図９は出力履歴を画像データ提供元のメモリカード等の記憶媒体に記憶するようにした変形例を説明する説明図である。図示するように、メモリカード等の記憶媒体は、画像の記憶に際して、その画像を構成する画像データを記憶する画像データ記憶領域と、当該画像を撮像或いは編集した日時を示す日時データと画像を特定するためのファイル名等の画像特定データとを記憶するヘッダ情報記憶領域とを対応付けている。こうした上で、パーソナルコンピュータ３０は、図４のステップＳ３５０での出力履歴の更新記憶に際して、ヘッダ情報記憶領域の未使用の記憶領域に、図４の自動印刷処理に基づいたデータ出力・画像印刷を行った旨のデータを書き込む。図で説明すると、図示するヘッダ情報記憶領域に印刷済みを示すデータとして値１を書き込む。この書き込み前は、印刷前であるから当該データ欄は、例えば値０となっている。こうすれば、図４のステップＳ３１０にて、この印刷済みデータについても読み込むので、ステップＳ３２０およびこれに続くステップＳ３３０での未印刷画像の判定が簡便となり、演算負荷が軽減する。
【００３９】
図１０は未印刷画像の自動印刷処理の変形例を示すフローチャートである。図示するように、この変形例では、ステップＳ３３０にて未印刷画像があるとした肯定判断に続き、その未印刷画像を表示部１４０に表示すると共に、ユーザからの印刷実行対象の画像選択を待機する（ステップＳ３３５）。そして、ユーザが操作部１５０等にて印刷選択した画像についてその画像データの出力（ステップＳ３４０）、出力履歴の更新記憶を行う（ステップＳ３５０）。こうすれば、ユーザの意向を反映させつつ、未印刷画像を簡単に印刷できる。
【００４０】
また、未印刷画像としてその画像の画像データ出力をしたものについては、当該画像データをデータ提供媒体（メモリカード等）から削除するように構成することもできる。或いは、携帯電話等の携帯端末で撮像した画像を有線ケーブル、もしくは赤外線等の無線にてデータ取得部１０５から取得するようにすることもできる。
【図面の簡単な説明】
【００４１】
【図１】本発明の第１実施例としての画像処理システム１００を示すブロック図である。
【図２】この画像処理システム１００をパーソナルコンピュータ３０を中心に構成したシステムの説明図である。
【図３】未印刷画像の自動印刷処理に先立ち行う印刷前処理のフローチャートである。
【図４】未印刷画像の自動印刷処理のフローチャートである。
【図５】出力履歴の一例を示す説明図である。
【図６】デジタルカメラ４０を中心に構成した画像処理システム１００を示す説明図である。
【図７】デジタルカメラ４０Ａが充電等のために装着されるカメラ装着台５０を中心に構成した画像処理システム１００を示す説明図である。
【図８】プリンタ１３０を中心に構成した画像処理システム１００を示す説明図である。
【図９】出力履歴を画像データ提供元のメモリカード等の記憶媒体に記憶するようにした変形例を説明する説明図である。
【図１０】未印刷画像の自動印刷処理の変形例を示すフローチャートである。
【符号の説明】
【００４２】
３０...パーソナルコンピュータ
４０...デジタルカメラ
４０Ａ...デジタルカメラ
４５...ハードディスク
５０...カメラ装着台
１００...画像処理システム
１０５...データ取得部
１１０...画像データベース
１２０...制御部
１２２...データ出力部
１２４...履歴対応部
１２６...印刷判定部
１２８...出力実行部
１３０...印刷出力部（プリンタ）
１４０...表示部
１５０...操作部
１６０...記憶部
【図１】
2005244478.tif 000003
【図２】
2005244478.tif 000004
【図３】
2005244478.tif 000005
【図４】
2005244478.tif 000006
【図５】
2005244478.tif 000007
【図６】
2005244478.tif 000008
【図７】
2005244478.tif 000009
【図８】
2005244478.tif 000010
【図９】
2005244478.tif 000011
【図１０】
2005244478.tif 000012